(57)【要約】【課題】  光や音で感情を表現するロボットがあるが、一般的であって趣向性に欠ける。【解決手段】  ステップＳ４０４にて感情を選択したら、ステップＳ４０６〜Ｓ４１０にて感情に対応した分岐を行い、喜びであればステップＳ４１２〜Ｓ４１６、怒りであればステップＳ４１８〜Ｓ４２２、悲しみであればステップＳ４２４〜Ｓ４２８、楽しさであればステップＳ４３０〜Ｓ４３４で実施する。ここで、ステップＳ４１４，Ｓ４２０，Ｓ４２８，Ｓ４３２は吸引モータに対する電力の供給パターンを決定しており、各感情に対応した駆動によって吸気音が変化し、感情を表現できる。【選択図】  図１３
2005296512.tif 000002
【特許請求の範囲】
【請求項１】
吸引モータにて駆動される吸引式の掃除機構を備えた本体と、同本体における左右に配置されて個別に回転を制御可能で操舵と駆動を実現する駆動輪を有する駆動機構とを備える自走式掃除機であって、
上記掃除機構は、本体の側方から外部に突き出るサイドブラシと、当該サイドブラシを駆動するサイドブラシモータを有するとともに、上記吸引モータによる吸引及び排気経路に装着して吸気音を変化させるアダプタを有し、かつ、
人体を検知する人体センサを有し、表現する感情を選択する感情選択手段と、
選択された感情に対応して上記吸引モータの回転を制御して吸気音に変化を生じさせる吸気音制御手段と、
上記選択された感情に対応して、人体に近寄る動作と、人体から離れていく動作と、人体の周りを回転させる動作を上記駆動機構を制御して実現させる動作制御手段とを具備することを特徴とする自走式掃除機。
【請求項２】
吸引モータにて駆動される吸引式の掃除機構を備えた本体と、操舵及び駆動が可能な駆動機構とを備える自走式掃除機であって、
人体を検知する人体センサを有し、人体を検知したときに表現する感情を選択する感情選択手段と、
選択された感情に対応して上記吸引モータの回転を制御して吸気音に変化を生じさせる吸気音制御手段と、
上記選択された感情に対応して上記駆動機構を制御して動作を制御する動作制御手段とを具備することを特徴とする自走式掃除機。
【請求項３】
上記吸引モータによる吸引及び排気経路に装着して吸気音を変化させるアダプタを有することを特徴とする請求項２に記載の自走式掃除機。
【請求項４】
上記掃除機構は、本体の側方から外部に突き出るサイドブラシと、当該サイドブラシを駆動するサイドブラシモータを有し、上記選択された感情に対応して同サイドブラシモータの駆動を制御することを特徴とする請求項２または請求項３のいずれかに記載の自走式掃除機。
【請求項５】
上記動作制御手段は、人体に近寄る動作と、人体から離れていく動作と、人体の周りを回転させる動作を上記駆動機構で実現可能であることを特徴とする請求項２〜請求項４のいずれかに記載の自走式掃除機。
【発明の詳細な説明】
【技術分野】
【０００１】
本発明は、掃除機構を備えた本体と、操舵及び駆動が可能な駆動機構とを備える自走式掃除機に関するものである。
【背景技術】
【０００２】
従来、自走式のロボットとして、特許文献１に示すものが知られている。同ロボットにおいては、ロボットに備えられたライトの光の色や強さや点滅速度、音や声の強さや再生速度やトーンを制御することが可能である。
そして、これらを適宜制御することにより、擬似的に感情を表現可能となっている。
一方、自走式の掃除機として、特許文献２に示すものでは、超音波センサを本体の側面に配置して自律して行動するものが開示されている。
【特許文献１】特開２００２−３６１５８２号公報
【特許文献２】特開２００３−１６７６２８号公報
【発明の開示】
【発明が解決しようとする課題】
【０００３】
上述した従来の自走式掃除機において、前者のものは、光や音で感情を表現しようとしているが、一般的であって趣向性に欠ける。後者のものは、あくまでも掃除機であって、感情などを表現するようなものではなく、その機能もない。
本発明は、上記課題に鑑みてなされたもので、個性的なロボットであって掃除も可能な自走式掃除機を提供することを目的とする。
【課題を解決するための手段、作用及び効果】
【０００４】
本発明は、上記課題に鑑みてなされたもので、吸引モータにて駆動される吸引式の掃除機構を備えた本体と、操舵及び駆動が可能な駆動機構とを備える自走式掃除機であって、人体を検知する人体センサを有し、人体を検知したときに表現する感情を選択する感情選択手段と、選択された感情に対応して上記吸引モータの回転を制御して吸気音に変化を生じさせる吸気音制御手段と、上記選択された感情に対応して上記駆動機構を制御して動作を制御する動作制御手段とを具備する構成としてある。
【０００５】
上記のように構成した場合、掃除機構は吸引モータを有し、同吸引モータにて吸引式の掃除を実行可能であるとともに、駆動機構により操舵及び走行が可能である。また、感情選択手段は、人体センサを備えて人体を検知することが可能であり、人体を検知したときに表現する感情を選択する。感情を選択したら、吸気音制御手段は選択された感情に対応して上記吸引モータの回転を制御して吸気音に変化を生じさせ、また、動作制御手段は上記選択された感情に対応して上記駆動機構を制御して動作を制御する。
【０００６】
このように自走式の掃除が可能であることを前提としつつも、吸引モータの回転を制御することで吸気音に変化を生じさせて感情を表現できる。また、感情表現は吸気音にとどまらず、動作でも実現する。
【０００７】
吸気音に変化を生じさせる好適な一例として、請求項３にかかる発明では、上記吸引モータによる吸引及び排気経路に装着して吸気音を変化させるアダプタを有する構成としてある。
【０００８】
上記のように構成した場合、感情を表現させる場合には吸引及び排気経路にアダプタを装着する。これにより、通常の吸気音とは大きく音を変化さえることができ、これを前提とした感情表現が豊かとなる。
【０００９】
掃除機構は、吸引式を基本としつつも他のタイプも併用可能であり、その一例として請求項４にかかる発明では、上記掃除機構は、本体の側方から外部に突き出るサイドブラシと、当該サイドブラシを駆動するサイドブラシモータを有し、上記選択された感情に対応して同サイドブラシモータの駆動を制御する構成としてある。
【００１０】
上記のように構成した場合、本体の側方からはサイドブラシが外部に突き出ており、外部から視認可能である。そこで、当該サイドブラシを駆動するサイドブラシモータの駆動を制御することでサイドブラシの動作によっても感情表現が可能となる。
【００１１】
動作には各種のものを採用可能であり、その一例として、請求項５にかかる発明では、上記動作制御手段は、人体に近寄る動作と、人体から離れていく動作と、人体の周りを回転させる動作を上記駆動機構で実現可能な構成としてある。
【００１２】
上記のように構成した場合、人体を検知して近づけば喜び一般を表せるし、離れれば悲しみや怒りを表せるし、人体の周りを回転すればさらなる喜びなどを表せる。
【００１３】
操舵及び駆動が可能な駆動機構については、各種の構成が可能である。駆動機構は、車輪のみならず、無端ベルトを駆動する構成で実現しても良い。むろん、これ以外にも、４輪、６輪など、各種の構成で駆動機構を実現可能である。
【００１４】
そして、以上のような構成を踏まえたより具体的な構成の一例として、請求項１にかかる発明は、吸引モータにて駆動される吸引式の掃除機構を備えた本体と、同本体における左右に配置されて個別に回転を制御可能で操舵と駆動を実現する駆動輪を有する駆動機構とを備える自走式掃除機であって、上記掃除機構は、本体の側方から外部に突き出るサイドブラシと、当該サイドブラシを駆動するサイドブラシモータを有するとともに、上記吸引モータによる吸引及び排気経路に装着して吸気音を変化させるアダプタを有し、かつ、人体を検知する人体センサを有し、表現する感情を選択する感情選択手段と、選択された感情に対応して上記吸引モータの回転を制御して吸気音に変化を生じさせる吸気音制御手段と、上記選択された感情に対応して、人体に近寄る動作と、人体から離れていく動作と、人体の周りを回転させる動作を上記駆動機構を制御して実現させる動作制御手段とを具備する構成としてある。
【００１５】
上記のような構成とすることにより、本来の自走式の掃除機構を前提としつつも、人体を検知して感情を選択し、吸気音やサイドブラシ、及び本体の動作により、個性的な感情表現が可能なロボットを実現できる。
【発明を実施するための最良の形態】
【００１６】
図１は、本発明にかかる自走式掃除機の概略構成をブロック図により示している。
同図に示すように、各ユニットを制御する制御ユニット１０と、周囲に人間がいるか否かを検知する人体感知ユニット２０と、周囲の障害物を検知するための障害物監視ユニット３０と、移動を実現する走行系ユニット４０と、掃除を行うためのクリーナ系ユニット５０と、所定範囲を撮影するカメラ系ユニット６０と、無線でＬＡＮに接続するための無線ＬＡＮユニット７０とから構成されている。なお、本体ＢＤは薄型の略円筒形状をなしている。
【００１７】
図２は、各ユニットを具体的に実現する電気系の構成をブロック図により示している。  制御ユニット１０として、ＣＰＵ１１と、ＲＯＭ１３と、ＲＡＭ１２がバス１４を介して接続されている。ＣＰＵ１１は、ＲＯＭ１３に記録されている制御用プログラムおよび各種パラメータテーブルに従い、ＲＡＭ１２をワークエリアとして使用して各種の制御を実行する。上記制御用プログラムの内容については後述する。
【００１８】
また、バス１４には操作パネルユニット１５が備えられ、同操作パネルユニット１５には、各種の操作用スイッチ１５ａと、液晶表示パネル１５ｂと、表示用ＬＥＤ１５ｃが備えられている。液晶表示パネルは多階調表示が可能なモノクロ液晶パネルを使用しているが、カラー液晶パネルなどを使用することも可能である。
【００１９】
本自走式掃除機はバッテリー１７を有しており、ＣＰＵ１１はバッテリ監視回路１６を介してバッテリー１７の残量をモニター可能となっている。なお、同バッテリー１７は誘導コイル１８ａを介して非接触で供給される電力を用いて充電する充電回路１８を備えている。バッテリー監視回路１６は主にバッテリー１７の電圧を監視して残量を検知する。
【００２０】
人体感知ユニット２０として、四つの人体センサ２１（２１ｆｒ，２１ｒｒ，２１ｆｌ，２１ｒｌ）が前方左右斜め方向と後方左右斜め方向に対面させて備えられている。各人体センサ２１は赤外線の受光センサを備えるとともに受光した赤外線の光量の変化に基づいて人体の有無を検知するものであり、変化する赤外線照射物体を検知したとき出力用のステータスを変化させるため、ＣＰＵ１１は上記バス１４を介して同人体センサ２１の検知を取得することが可能となっている。すなわち、ＣＰＵ１１は所定時間毎に各人体センサ２１ｆｒ，２１ｒｒ，２１ｆｌ，２１ｒｌのステータスを取得しにいき、取得したステータスが変化していれば、同人体センサ２１ｆｒ，２１ｒｒ，２１ｆｌ，２１ｒｌの対向方向に人体の存在を検知することが可能となる。
【００２１】
ここでは赤外線の光量変化に基づくセンサによって人体センサを構成しているが、人体センサはこれに限られるものではない。例えば、ＣＰＵの処理量が上がればカラー画像を撮影し、人体に特徴的な肌色の領域を探し、同領域の大きさ、変化に基づいて人体を検知するという構成を実現することもできる。
【００２２】
障害物監視ユニット３０は、オートフォーカス（以下、ＡＦと呼ぶ。）用測距センサとしてのＡＦ用パッシブセンサ３１（３１Ｒ，３１ＦＲ，３１ＦＭ，３１ＦＬ，３１Ｌ，３１ＣＬ））とその通信用インターフェイスであるＡＦセンサ通信Ｉ／Ｏ３２と、照明用ＬＥＤ３３と、各ＬＥＤに駆動電流を供給するＬＥＤドライバ３４とから構成されている。まず、ＡＦ用パッシブセンサ３１の構成について説明する。図３はＡＦ用パッシブセンサ３１の概略構成を示している。二軸のほぼ平行な光学系３１ａ１，３１ａ２と、同光学系３１ａ１，３１ａ２の結像位置にほぼそれぞれ配設されたＣＣＤラインセンサ３１ｂ１，３１ｂ２と、各ＣＣＤラインセンサ３１ｂ１，３１ｂ２の撮像イメージデータを外部に出力するための出力Ｉ／Ｏ３１ｃとを備えている。
【００２３】
ＣＣＤラインセンサ３１ｂ１，３１ｂ２は１６０〜１７０画素のＣＣＤセンサを有しており、各画素ごとに光量を表す８ビットのデータを出力可能となっている。光学系が二軸であるので、結像イメージには距離に応じたずれが生じており、それぞれのＣＣＤラインセンサ３１ｂ１，３１ｂ２が出力するデータのずれに基づいて距離を計測できる。例えば、近距離になるほど結像イメージのずれが大きく、遠距離になるほど結像イメージのずれはなくなっていく。従って、一方の出力データにおける４〜５画素毎のデータ列を画報の出力データ中でスキャンし、元のデータ列のアドレスと発見されたデータ列のアドレスとの相違を求め、相違量で予め用意しておいた相違量−距離変換テーブルを参照し、実際の距離を求めることになる。
【００２４】
ＡＦ用パッシブセンサ３１Ｒ，３１ＦＲ，３１ＦＭ，３１ＦＬ，３１Ｌ，３１ＣＬのうち、ＡＦ用パッシブセンサ３１ＦＲ，３１ＦＭ，３１ＦＬは正面の障害を検知するために利用され、ＡＦ用パッシブセンサ３１Ｒ，３１Ｌは前方左右直前の障害を検知するために利用され、ＡＦ用パッシブセンサ３１ＣＬは前方天井までの距離を検知するために利用されている。
【００２５】
図４は正面と前方左右直前の障害をＡＦ用パッシブセンサ３１で検知する際の原理を示している。これらのＡＦ用パッシブセンサ３１は周囲の床面に対して斜めに向けて配置されている。対向方向に障害物が無い場合、ＡＦ用パッシブセンサ３１による測距距離はほぼ全撮像範囲においてＬ１となる。しかし、図面で一点鎖線で示すように段差がある場合、その測距距離はＬ２となる。測距距離が伸びたら下がる段差があると判断できる。また、二点鎖線で示すように上がる段差があれば測距距離はＬ３となる。障害物があるときも上がる段差と同様に測距距離は同障害物までの距離として計測され、床面よりも短くなる。
【００２６】
本実施形態においては、ＡＦ用パッシブセンサ３１を前方の床面に斜めに配向した場合、その撮像範囲は約１０ｃｍとなった。本自走式クリーナの幅が３０ｃｍであったので、三つのＡＦ用パッシブセンサ３１ＦＲ，３１ＦＭ，３１ＦＬについては撮像範囲が重ならないように僅かに角度を変えて配置している。これにより、三つのＡＦ用パッシブセンサ３１ＦＲ，３１ＦＭ，３１ＦＬにより前方方向の３０ｃｍの範囲での障害物と段差を検知できるようになっている。むろん、検知幅はセンサの仕様や取付位置などに応じて変化し、実際に必要となる幅に応じた数のセンサを利用すればよい。
【００２７】
一方、前方左右直前の障害を検知するＡＦ用パッシブセンサ３１Ｒ，３１Ｌについては撮像範囲を垂直方向を基準として床面に対して斜めに配置している。また、ＡＦ用パッシブセンサ３１Ｒを本体左方に取り付けつつ本体中央を横切って右方直前位置から本体幅を超えた右方の範囲を撮像するように対向させてあり、ＡＦ用パッシブセンサ３１Ｌを本体右方に取り付けつつ本体中央を横切って左方直前位置から本体幅を超えた左方の範囲を撮像するように対向させてある。
【００２８】
クロスさせないで左右の直前位置を撮影するようにすると、センサは急角度で床面に対面させなければならず、このようにすると撮像範囲が極めて狭くなってしまうので、複数のセンサが必要となる。このため、敢えてクロスさせる配置とし、撮像範囲を広げて少ない数のセンサで必要範囲をカバーできるようにしている。また、撮像範囲を垂直方向を基準として斜めに配置するのは、ＣＣＤラインセンサの並び方向が垂直方向に向くことを意味しており、図５に示すように撮像できる幅がＷ１となる。ここで、撮像範囲の右側で床面までの距離Ｌ４は短く、左側で距離Ｌ５が長くなっている。本体ＢＤの側面の境界ラインが図面上の波線位置Ｂであると、境界ラインまでの撮像範囲は段差の検知などに利用され、境界ラインを超える撮像範囲は壁面の有無を検知するために利用される。
【００２９】
前方天井までの距離を検知するＡＦ用パッシブセンサ３１ＣＬは天井に対面している。通常はＡＦ用パッシブセンサ３１ＣＬが検知する床面から天井までの距離が一定であるが、壁面に近づいてくると撮像範囲が天井ではなく壁面となるので、測距距離が短くなってくる。従って、前方壁面の存在をより正確に検知できる
【００３０】
図６は各ＡＦ用パッシブセンサ３１Ｒ，３１ＦＲ，３１ＦＭ，３１ＦＬ，３１Ｌ，３１ＣＬの本体ＢＤへの取り付け位置を示すとともに、それぞれの床面での撮像範囲を括弧付きの符号で対応させて示している。なお、天井については撮像範囲は省略している。
【００３１】
ＡＦ用パッシブセンサ３１Ｒ，３１ＦＲ，３１ＦＭ，３１ＦＬ，３１Ｌの撮像を証明するように白色ＬＥＤからなる右照明用ＬＥＤ３３Ｒと、左照明用ＬＥＤ３３Ｌと、前照明用ＬＥＤ３３Ｍを備えており、ＬＥＤドライバ３４はＣＰＵ１１からの制御指示に基づいて駆動電流を供給して照明できるようになっている。これにより、夜間であったり、テーブルの下などの暗い場所でもＡＦ用パッシブセンサ３１から有効な撮像イメージのデータを得ることができるようになる。
【００３２】
走行系ユニット４０は、モータドライバ４１Ｒ，４１Ｌと、駆動輪モータ４２Ｒ，４２Ｌと、この駆動輪モータ４２Ｒ，４２Ｌにて駆動される図示しないギアユニットと駆動輪を備えている。駆動輪は本体ＢＤの左右に一輪ずつ配置されており、この他に駆動源を持たない自由転動輪が本体の前方側中央下面に取り付けられている。駆動輪モータ４２Ｒ，４２Ｌは回転方向と回転角度をモータドライバ４１Ｒ，４１Ｌによって詳細に駆動可能であり、各モータドライバ４１Ｒ，４１ＬはＣＰＵ１１からの制御指示に応じて対応する駆動信号を出力する。また、駆動輪モータ４２Ｒ，４２Ｌと一体的に取り付けられているロータリーエンコーダの出力から現実の駆動輪の回転方向と回転角度が正確に検知できるようになっている。なお、ロータリーエンコーダは駆動輪と直結させず、駆動輪の近傍に自由回転可能な従動輪を取り付け、同従動輪の回転量をフィードバックさせることによって駆動輪にスリップが生じているような場合でも現実の回転量を検知できるようにしても良い。走行系ユニット４０には、この他に地磁気センサ４３が備えられており、地磁気に照らし合わせて走行方向を判断できるようになっている。また、加速度センサ４４はＸＹＺ三軸方向における加速度を検知し、検知結果を出力する。
【００３３】
ギアユニットや駆動輪は各種のものを採用可能であり、円形のゴム製タイヤを駆動させるようにしたり、無端ベルトを駆動させるようにして実現しても良い。
【００３４】
本自走式掃除機における掃除機構は、前方両サイドに配置されて本体ＢＤの進行方向における両側寄りのゴミなどを当該本体ＢＤにおける中央付近にかき寄せるサイドブラシと、本体の中央付近にかき寄せられたゴミをすくい上げるメインブラシと、同メインブラシによりすく上げられるゴミを吸引してダストボックス内に収容する吸引ファンとから構成されている。クリーナ系ユニット５０は、各ブラシを駆動するサイドブラシモータ５１Ｒ，５１Ｌとメインブラシモータ５２、それぞれのモータに駆動電力を供給するモータドライバ５３Ｒ，５３Ｌ，５４と、吸引ファンを駆動する吸引モータ５５と、同吸引モータに駆動電力を供給するモータドライバ５６とから構成されている。サイドブラシやメインブラシを使用した掃除は床面の状況やバッテリーの状況やユーザの指示などに応じてＣＰＵ１１が適宜判断して制御するようにしている。
【００３５】
図１０は、サイドブラシＳＢと、メインブラシＭＢの配置を平面図により示している。本体ＢＤの中央部分を横切るようにメインブラシＭＢが配置されており、その前方側の左右に一対のサイドブラシＳＢ，ＳＢが配置されている。また、図１１は、サイドブラシＳＢと、メインブラシＭＢと、吸引ファンＤＦの配置を概略断面図により示している。メインブラシＭＢは、ダストボックスＤＢに連通する吸引口ＤＴの下部に配置され、ゴミを掻き上げ、ダストボックスＤＢの後方側に配置した吸引ファンＤＦにて負圧を発生し、掻き上げたゴミをダストボックスＤＢ内に吸い込んで捕捉する。
【００３６】
カメラ系ユニット６０は、それぞれ視野角の異なる二つのＣＭＯＳカメラ６１，６２を備えており、本体ＢＤの正面方向であってそれぞれことなる仰角にセットされている。また、各カメラ６１，６２への撮像を指示するとともに撮像イメージを出力するためのカメラ通信Ｉ／Ｏ６３も備えられている。さらに、カメラ６１，６２の撮像方向に対面させて１５コの白色ＬＥＤからなるカメラ用照明ＬＥＤ６４と、同ＬＥＤに照明用駆動電力を供給するためのＬＥＤドライバ６５を備えている。
【００３７】
無線ＬＡＮユニット７０は、無線ＬＡＮモジュール７１を有しており、ＣＰＵ１１は所定のプロトコルに従って外部ＬＡＮと無線によって接続可能となっている。無線ＬＡＮモジュール７１は、図示しないアクセスポイントの存在を前提として、同アクセスポイントはルータなどを介して外部の広域ネットワーク（例えばインターネット）に接続可能な環境となっていることとする。従って、インターネットを介した通常のメールの送受信やＷＥＢサイトの閲覧といったことが可能である。なお、無線ＬＡＮモジュール７１は、規格化されたカードスロットと、同スロットに接続される規格化された無線ＬＡＮカードなどから構成されている。むろん、カードスロットは他の規格化されたカードを接続することも可能である。
【００３８】
次に、上記構成からなる自走式掃除機の動作について説明する。
（１）清掃動作について
図７及び図８は上記ＣＰＵ１１が実行する制御プログラムに対応したフローチャートを示しており、図９は同制御プログラムに従って本自走式掃除機が走行する走行順路を示す図である。
【００３９】
電源オンにより、ＣＰＵ１１は図７の走行制御を開始する。ステップＳ１１０ではＡＦ用パッシブセンサ３１の検知結果を入力し、前方エリアを監視する。前方エリアの監視に使用するのはＡＦ用パッシブセンサ３１ＦＲ，３１ＦＭ，３１ＦＬの検知結果であり、平坦な床面であれば、その撮像イメージから得られるのは図４に示す斜め下方の床面までの距離Ｌ１である。それぞれのＡＦ用パッシブセンサ３１ＦＲ，３１ＦＭ，３１ＦＬの検知結果に基づき、本体ＢＤ幅に一致する前方の床面が平坦であるか否かが判断できる。ただし、この時点では、各ＡＦ用パッシブセンサ３１ＦＲ，３１ＦＭ，３１ＦＬが対面している床位置と本体の直前位置までの間の情報は何も得られていないので死角となる。
【００４０】
ステップＳ１２０ではモータドライバ４１Ｒ，４１Ｌを介して駆動輪モータ４２Ｒ，４２Ｌに対してそれぞれ回転方向を異にしつつ同回転量の駆動を指示する。これにより本体ＢＤはその場で回転を始める。同じ場所での３６０度の回転（スピンターン）に要する駆動モータ４２Ｒ，４２Ｌの回転量は予め分かっており、ＣＰＵ１１は同回転量をモータドライバ４１Ｒ，４１Ｌに指示している。
【００４１】
スピンターン中、ＣＰＵ１１はＡＦ用パッシブセンサ３１Ｒ，３１Ｌの検知結果を入力し、本体ＢＤの直前位置の状況を判断する。上述した死角はこの間の検知結果により、ほぼなくなり、段差、障害物が何も無い場合、周囲の平坦な床面の存在を検知できる。
【００４２】
ステップＳ１３０ではＣＰＵ１１はモータドライバ４１Ｒ，４１Ｌを介して駆動輪モータ４２Ｒ，４２Ｌに対してそれぞれ同回転量の駆動を指示する。これにより本体ＢＤは直進を開始する。直進中、ＣＰＵ１１はＡＦ用パッシブセンサ３１ＦＲ，３１ＦＭ，３１ＦＬの検知結果を入力し、正面に障害物がいないか判断しながら前進する。そして、同検知結果から正面に障害物たる壁面が検知できたら、その壁面の所定距離だけ手前で停止する。
【００４３】
ステップＳ１４０では右に９０度回転する。ステップＳ１３０で壁面の所定距離だけ手前で停止したが、この所定距離は本体ＢＤが回転動作するときに同壁面に衝突せず、また、直前および左右の状況を判断するためのＡＦ用パッシブセンサ３１Ｒ，３１Ｌが検知する本体幅の外側にあたる範囲の距離である。すなわち、ステップＳ１３０にてＡＦ用パッシブセンサ３１ＦＲ，３１ＦＭ，３１ＦＬの検知結果に基づいて停止し、ステップＳ１４０にて９０度回転するときには、少なくともＡＦ用パッシブセンサ３１Ｌが壁面の位置を検知できる程度の距離となるようにしている。また、９０度回転するときには、上記ＡＦ用パッシブセンサ３１Ｒ，３１Ｌの検知結果に基づいて直前位置の状況を判断しておく。図９はこのようにしてたどり着いた平面図で見たときの部屋の左下角を清掃開始位置として清掃走行を開始する状況を示している。
【００４４】
清掃走行開始位置へたどり着く方法はこれ以外にも各種の方法がある。壁面に当接する状況において右に９０度回転するだけでは、最初の壁面の途中から始めることになることもあるため、図９に示すように左下角の最適位置にたどり着くのであれば、壁面に当接して左９０度回転し、正面の壁面に当接するまで前進し、当接した時点で１８０度回転することも望ましい走行制御である。
【００４５】
ステップＳ１５０では、清掃走行を実施する。同清掃走行のより詳細なフローを図８に示している。前進走行するにあたり、ステップＳ２１０〜Ｓ２４０にて各種のセンサの検知結果を入力している。ステップＳ２１０では前方監視センサデータ入力しており、具体的にはＡＦ用パッシブセンサ３１ＦＲ，３１ＦＭ，３１ＦＬ，３１ＣＬの検知結果を入力し、走行範囲の前方に障害物あるいは壁面が存在しないか否かの判断に供することになる。なお、前方監視という場合には、広い意味での天井の監視も含めている。
【００４６】
ステップＳ２２０では段差センサデータ入力をしており、具体的にはＡＦ用パッシブセンサ３１Ｒ，３１Ｌの検知結果を入力し、走行範囲の直前位置に段差がないか否かの判断に供することになる。また、壁面や障害物に沿って平行に移動するときには壁面や障害物までの距離を計測し、平行に移動しているか否かの判断に供することになる。
【００４７】
ステップＳ２３０では地磁気センサデータ入力をしており、具体的には地磁気センサ４３の検知結果を入力し、直進走行中に走行方向が変化していないか否かを判断するのに利用する。例えば、清掃走行開始時の地磁気の角度を記憶しておき、走行中に検出される角度が記憶されている角度と異なった場合には、左右の駆動輪モータ４２Ｒ，４２Ｌの回転量をわずかに異ならせて進行方向を修正し、元の角度へ戻す。例えば、地磁気の角度に基づいて角度が増加する方向へ変化（３５９度から０度への変化は例外点となる））したら左方向へ軌道を修正する必要があり、右の駆動輪モータ４２Ｒの回転量を左の駆動輪モータ４２Ｌの回転量よりも僅かに増やすようにそれぞれのモータドライバ４１Ｒ，４１Ｌへ駆動を制御する指示を出力する。
【００４８】
ステップＳ２４０では、加速度センサデータ入力をしており、具体的には加速度センサ４４の検知結果を入力し、走行状態の確認に供することになる。例えば、直進走行開始時に概ね一定の方向への加速度を検知できれば正常な走行と判断できるが、回転する加速度を検知すれば片方の駆動輪モータが駆動されていないような異常を判断できる。また、正常な範囲の加速度値を超えたら段差などから落下したり、横転したような異常を判断できる。そして、前進中に後方にあたる方向への大きな加速度を検知したら前方の障害物に当接した異常を判断できる。このように、加速度値を入力して目標加速度を維持するとか、その積分値に基づいて速度を得るというような走行に対する直接的な制御をすることはないが、異常検出の目的として加速度値を有効に利用している。
【００４９】
ステップＳ２５０では、ステップＳ２１０とステップＳ２２０で入力したＡＦ用パッシブセンサ３１ＦＲ，３１ＦＭ，３１ＣＬ，３１ＦＬ，３１Ｒ，３１Ｌの検知結果に基づいて障害物の判定を行う。障害物の判定は、正面、天井、直前のそれぞれの部位毎に行う。正面は障害物あるいは壁面の意味として判定し、直前は段差の判定とともに走行範囲外の左右の状況、例えば壁面の有無などを判定する。天井は鴨居などによって天井までの距離が下がってきているときに正面に障害物がないとしても、そこからは廊下であって室外に出てしまうことを判定するのに利用される。
【００５０】
ステップＳ２６０では、各センサからの検知結果を総合的に判断し、回避の必要があるか否かを判断する。回避の必要がない限りステップＳ２７０の清掃処理を実行する。清掃処理は、サイドブラシとメインブラシを回転させつつ、ゴミを吸引する処理であり、具体的にはモータドライバ５３Ｒ，５３Ｌ，５４，５６に各モータ５１Ｒ，５１Ｌ，５２，５５を駆動させる指示を出力する。むろん、走行中は常に同指示を出しているのであり、後述するように清掃走行の終端条件が成立したときに停止させることになる。
【００５１】
一方、回避が必要と判断されると、ステップＳ２８０にて右に９０度ターンを実施する。このターンは同じ位置での９０度ターンであり、モータドライバ４１Ｒ，４１Ｌを介して駆動輪モータ４２Ｒ，４２Ｌに対してそれぞれ回転方向を異にしつつ９０度ターンに必要なだけの回転量の駆動を指示する。回転方向は右の駆動輪に対して後退の方向であり、左の駆動輪に対して前進の方向となる。回転中は段差センサであるＡＦ用パッシブセンサ３１Ｒ，３１Ｌの検知結果を入力し、障害物の状況を判断する。例えば、正面に障害を検知し、右９０度ターンを実施したとき、ＡＦ用パッシブセンサ３１Ｒが前方右方の直前位置に壁面を検知しなければ単に正面の壁面に当接したといえるが、回転後も前方右方の直前位置に壁面を検知しているのであれば、角部に入り込んでいるといったことが判断できる。また、右９０度回転時にＡＦ用パッシブセンサ３１Ｒ，３１Ｌのいずれもが前方直前に障害を検知しなければ、壁面に当接したのではなく、小さな障害物などであったと判断できる。
【００５２】
ステップＳ２９０では障害物を走査しながらの進路変更のため前進する。壁面に当接し、右９０度回転後、前進していく。壁面の手前で停止したのであれば、前進の走行量は概ね本体ＢＤの幅分である。その分の前進後、ステップＳ３００では再度右９０度ターンを実施する。
【００５３】
以上の移動の間、正面の障害物、前方左右の障害物の有無は常に走査して状況を確認しており、部屋の中の障害物の有無の情報として記憶していく。
【００５４】
ところで、上述した説明では、右９０度ターンを２度実行したが、次に前方に壁面を検知した時点で右９０度ターンを実行すると元に戻ってしまうので、二度の９０度ターンは、右を繰り返したら、次は左を繰り返し、その次は右というように交互に行っていく。従って、奇数回目の障害物回避では右ターン、偶数回目の障害物回避では左ターンとなる。
【００５５】
以上のように障害物を回避しながら、部屋の中をつづら折り状に走査して清掃走行を継続していく。そして、部屋の終端にきたか否かをステップＳ３１０にて判断する。清掃走行の終端は、二度目のターン後に、壁面に沿って前進して清掃走行を実施し、その後で前方に障害物を検知した場合と、既に走行した部位に入り込んだ場合である。すなわち、前者ｈつづれ折り状に走行していった最後の端から端への走行後に生じる終了条件であり、後者は後述するように未清掃エリアを発見して再度清掃走行を開始したときの終了条件になる。
【００５６】
この終端条件が成立していなければ、ステップＳ２１０へ戻って以上の処理を繰り返す。終端条件が成立していれば、本清掃走行のサブルーチン処理を終了し、図７に示す処理へ復帰する。
【００５７】
復帰後、ステップＳ１６０では、これまでの走行経路と走行経路の周囲の状況から未清掃エリアが残っていないか判断する。未清掃エリアの有無の判断は公知の各種の手法を利用可能であり、一例としてこれまでの走行経路をマッピングして記憶していく手法を利用可能である。この例では、上述したロータリーエンコーダの検知結果に基づいて室内での走行経路と、走行中に検出した壁面の有無を記憶領域に確保指定あるマップ上に書き込んでいっており、周囲の壁面が途絶えることなく連続し、かつ、室内の存在していた障害物の周囲も連続し、かつ、室内で障害物を除く範囲を全て走行したか否かで判断する。未清掃エリアが見つかれば、ステップＳ１７０で未清掃エリアの開始点へと移動し、ステップＳ１５０に戻って清掃走行を再開する。
【００５８】
未清掃エリアが複数箇所に散在していたとしても、上述したような清掃走行の終端条件が成立するごとに、未清掃エリアの検出を繰り返していくことにより、最終的には未清掃エリアがなくなる。
【００５９】
（２）ペットモードについて
図１２は、本自走式掃除機における動作モードを選択するために液晶表示パネル１５ｂ上にて表示し、操作用スイッチ１５ａにて操作させるために操作画面を示している。同図に示すように、動作モードとして、自走清掃モードと、ペットモードとを操作用スイッチ１５ａを操作して選択する。ＣＰＵ１１は、自走清掃モードを選択した場合に、上述した図７及び図８にフローチャートに従って制御し、ペットモードを選択した場合に図１３に示すフローチャートに従って制御を実施する。
【００６０】
ペットモードが選択されると、ＣＰＵ１１は図１３に示すフローチャートに従って処理を進める。まず、ステップＳ４００では、人体センサ２１の検知結果を取得し、周囲に人体があるか否かを判断する。ペットモードは周囲に人体を検知したときに、喜び、怒り、悲しみ、楽しさを表現する音を発生しつつ、動作を行なう。このため、人体センサ２１にて人体を検知するまで、ステップＳ４００で待機することになる。
【００６１】
人体センサ２１にて人体を検知すると、ステップＳ４０２にて人体に対面するようにポジショニングを行う。ポジショニングは、人体と本体ＢＤとの相対角度を求め、同相対角度を解消する駆動動作を行なう。相対角度を検知するにあたり、各人体センサ２１が赤外線発光動体における赤外線強度を出力する場合と、単に赤外線発光動体の有無を出力する場合とがある。
【００６２】
赤外線強度を出力する場合、単一の人体センサ２１だけが検知するのではなく、複数の人体センサ２１が検知すると考えられる。この場合、強度の強い二つの人体センサ２１の検知出力を得て、それぞれの対向方向に挟まれる９０度の角度範囲内で赤外線発光動体の角度を検知する。この場合、二つの人体センサ２１の検知出力の強度比を求め、同強度比を利用して予め実験して作成しておいたテーブルを参照する。このテーブルには強度比と角度との対応が関連づけて記憶されているので、同９０度の範囲内での検知対象物の角度が判断でき、さらに検知出力を利用した二つの人体センサ２１の取り付け位置に基づいて本体ＢＤとの相対角度を求める。例えば、検知出力の強度の強い二つの人体センサ２１が右側面の人体センサ２１ｆｒ，２１ｒｒであり、かつ、強度比から９０度の範囲内における人体センサ２１ｆｒの側の３０度の角度が上記テーブルから参照されたとすると、右側面の９０度の範囲内で前方側の３０度の角度であるから、本体正面に対しては、４５度＋３０度＝７５度の相対角度ということになる。
【００６３】
一方、単に赤外線発光動体の有無を出力する場合は、基本的に本体ＢＤに対する８つの相対角度だけを検知する。すなわち、いずれか一つの人体センサ２１だけが検知出力を出した場合は、同検知出力を出力した人体センサ２１の取付位置の角度を相対角度とし、二つの人体センサ２１が検知出力を出した場合は、これら二つの人体センサ２１の取付位置の中間の角度を相対角度とし、三つの人体センサ２１が検知出力を出した場合は、人体センサ２１の取付位置の角度を相対角度とする。すなわち、等間隔で複数の人体センサが取り付けられている場合、偶数個であれば中央の二つの人体センサの取付位置の中間であり、奇数個であれば中央の人体センサの取付位置となる。
【００６４】
このようにして相対角度を求めたら、同相対角度に本体ＢＤの正面が対面するように左右の駆動輪を駆動させる。回転動作であるから、同じ場所でのターン動作であり、左右の駆動輪モータ４２Ｒ，４２Ｌを逆方向に所定の回転量だけ駆動させるようにモータドライバ４１Ｒ，４１Ｌに指示を与える。
【００６５】
ステップＳ４０４では表現する感情を選択する。図１４に示すように、表現可能な感情は、「喜び」、「怒り」、「悲しみ」、「楽しさ」の四つである。感情を選択する手法は様々であり、各種の感情選択専用のセンサを配置して決定することも可能である。本実施例においては、感情選択は乱数を発生し、同乱数に基づいてランダムに決定することにしている。
【００６６】
ステップＳ４０４にて感情を決定したら、ステップＳ４０６〜Ｓ４１０の判断により、決定した感情に対応した動作と音の発生を実行する。感情と、動作と、音との対応関係の一例を図１４に示している。
【００６７】
「喜び」は、あたかもペットの犬が飼い主に向かってじゃれついてくる様子を模倣し、人の方向に向かってジグザグに前進し、その際にサイドブラシを高速に回すという動作を行う。また、吸引モータを、短く動かした後、長く動かすというパターンで繰り返し駆動する。これにより、ゴッ、ゴー、ゴッ、ゴーというような吸気音が継続し、喜びを表せる。
【００６８】
「怒り」は、あたかもペットの犬が不審者に向かって威嚇する様子を模倣し、人の方向に向かってゆっくりバックした後、急に前進する。その際にサイドブラシは、低速の回転で断続的に回転させる。また、吸引モータを、短めに、断続的に動かすというパターンで繰り返し駆動する。これにより、ゴーッ、ゴーッというような吸気音が継続し、威嚇する怒りを表せる。
【００６９】
「悲しみ」は、あたかもペットの犬が飼い主に向かってさみしく寄ってくる様子を模倣し、人の方向に向かってゆっくり前進する。その際にサイドブラシは停止したままとする。また、吸引モータは、長く、弱く動かすというパターンで繰り返し駆動する。これにより、クーン、クーンというような吸気音が継続し、悲しみを表せる。
【００７０】
「楽しさ」は、喜びと似てはいるものの、あたかもペットの犬が飼い主の周りを走り回る様子を模倣し、人の周りを回り、その際にサイドブラシを交互に反転させるという動作を行う。また、吸引モータを、短く二回動かした後、長く動かすというパターンで繰り返し駆動する。これにより、ゴッ、ゴッ、ゴー、ゴッ、ゴッ、ゴーというような吸気音が継続し、楽しさを表せる。
【００７１】
これらの各動作は、ステップＳ４０６〜Ｓ４１０の判断で感情毎に分岐され、喜びであればステップＳ４１２〜Ｓ４１６、怒りであればステップＳ４１８〜Ｓ４２２、悲しみであればステップＳ４２４〜Ｓ４２８、楽しさであればステップＳ４３０〜Ｓ４３４で実施する。
【００７２】
喜びの場合、ステップＳ４１２ではジグザグに前進する動きを駆動機構にて実現するが、ジグザグに駆動するためには左右の駆動輪モータ４２Ｒ，４２Ｌを交互に同量ずつ回転させればよい。ステップＳ４１４では喜びのパターンの吸気音を発生させるため、吸引モータ５５に対して、短く動かした後、長く動かすというパターンで繰り返しモータドライバ５６から電力を供給させることになる。ステップＳ４１６ではサイドブラシを高速に回転させるようにモータドライバ５３Ｒ，５３Ｌより電力を供給させる。
【００７３】
怒りの場合、ステップＳ４１８ではゆっくりバックした後、急に前進する動きを駆動機構にて実現するが、左右の駆動輪モータ４２Ｒ，４２Ｌに対して同量ずつ上述した動きとなるように回転させればよい。ステップＳ４２０では怒りのパターンの吸気音を発生させるため、吸引モータ５５に対して、短めに、断続的に動かすというパターンで繰り返しモータドライバ５６から電力を供給させることになる。ステップＳ４２２ではサイドブラシをゆっくりオンオフさせるようにモータドライバ５３Ｒ，５３Ｌより電力を供給させる。
【００７４】
悲しみの場合、ステップＳ４２４ではゆっくり前進する動きを駆動機構にて実現するが、左右の駆動輪モータ４２Ｒ，４２Ｌに対して同量ずつゆっくり前進する動きとなるように回転させればよい。ステップＳ４２６では悲しみのパターンの吸気音を発生させるため、吸引モータ５５に対して、長く、弱く動かすというパターンで繰り返しモータドライバ５６から電力を供給させることになる。ステップＳ４２８ではサイドブラシを停止させるべくモータドライバ５３Ｒ，５３Ｌからの電力供給を停止させる。
【００７５】
楽しさの場合、ステップＳ４３０では人も周りを回転させる動きを駆動機構にて実現する。このためには、一旦、現在の方向から９０度スピンターンさせ、この状態から予め決めた半径の軌道を走行するように左右の駆動輪モータ４２Ｒ，４２Ｌに対する回転量を決定して回転させればよい。ステップＳ４３２では楽しさのパターンの吸気音を発生させるため、吸引モータ５５に対して、短く二回動かした後、長く動かすというパターンで繰り返しモータドライバ５６から電力を供給させることになる。ステップＳ４３４ではサイドブラシを交互に反転させるようにモータドライバ５３Ｒ，５３Ｌより電力を供給させる。
【００７６】
人体の検知に対して上述した対応を決めておいて実施させることにより、自走式掃除機がペットのように振る舞い、かつ、掃除機としての個性を活かして吸気音をうまく利用して感情表現に役立つようにしている。
【００７７】
図１５は、吸気音に変化を生じさせるために排気口ＥＸに取り付けるアダプタＡＤを指名している。排気口ＥＸは本体ＢＤ後方側上面に短円筒形状として突出して形成されており、アダプタＡＤは同円筒部分に装着できる短円筒部分とともに同短円筒部分から先細りとなるダクト部分を有している。ダクト部分の内部に笛のように音を発する形状を形成してあり、排気により、笛状の音を発生させることができるようになる。むろん、ダクト部分の形状を変化させることで各種の音を発生させることができ、ユーザーが複数の音色から選択して取り付けるようにしても良い。
【００７８】
また、ペットらしさをより強調するために、図１６に示すようなぬいぐるみ状のカバーＣＶを装着できるようにしても良い。この際、カバーＣＶの内部にいくつかのタッチセンサーを装着しておき、各タッチセンサーの検知状況に基づいて感情を選択させるようにすることが可能である。
【００７９】
例えば、ユーザーがなでる仕草をタッチセンサーで検知すれば喜びを選択するし、喜んでいる状態でタッチしなくなると怒りを選択したり、叩いた動作を検知して悲しさを選択し、喜びが長い期間持続すると楽しさを選択するといったことが可能となる。これらのタッチセンサーは所定のインターフェイスを介してバス１４に接続し、ＣＰＵ１１から検知結果をアクセス可能としておく。
【００８０】
このように、本自走式掃除機においては、ステップＳ４０４にて感情を選択したら、ステップＳ４０６〜Ｓ４１０にて感情に対応した分岐を行い、喜びであればステップＳ４１２〜Ｓ４１６、怒りであればステップＳ４１８〜Ｓ４２２、悲しみであればステップＳ４２４〜Ｓ４２８、楽しさであればステップＳ４３０〜Ｓ４３４で実施する。ここで、ステップＳ４１４，Ｓ４２０，Ｓ４２８，Ｓ４３２は吸引モータに対する電力の供給パターンを決定しており、各感情に対応した駆動によって吸気音が変化し、感情を表現できる。
【産業上の利用可能性】
【００８１】
吸引モータの駆動を制御して吸気音に変化を生じさせ、感情を表すようにしたため、自走式掃除機の個性を活かしたペットを実現できる。
【図面の簡単な説明】
【００８２】
【図１】本発明にかかる自走式掃除機の概略構成を示すブロック図である。
【図２】同自走式掃除機のより詳細なブロック図である。
【図３】ＡＦ用パッシブセンサのブロック図である。
【図４】ＡＦ用パッシブセンサを床面に対して斜め下方に配向した場合における床面の状況と測距距離の変化の状況を示す説明図である。
【図５】直前位置用のＡＦ用パッシブセンサを床面に対して斜め下方に配向した場合における撮像範囲の測距距離を示す説明図である。
【図６】それぞれのＡＦ用パッシブセンサの配置位置と測距部位を示す図である。
【図７】走行制御のフローチャートである。
【図８】清掃走行のフローチャートである。
【図９】室内の走行経路を示す図である。
【図１０】ブラシの配置を示す概略平面図である。
【図１１】ブラシと吸引ファンの配置を示す概略断面図である。
【図１２】動作モードの選択操作画面を示す図である。
【図１３】ペットモードのフローチャートである。
【図１４】感情に対応した動作と音の関係を示す図である。
【図１５】吸気音を変化させるアダプタの装着状況を示す概略側面図である。
【図１６】ペットらしさをかきたてるカバーを示す概略側面図である。
【符号の説明】
【００８３】
１０…制御ユニット
２０…人体感知ユニット
３０…障害物監視ユニット
４０…走行系ユニット
５０…クリーナ系ユニット
６０…カメラ系ユニット
７０…無線ＬＡＮユニット
【図１】
2005296512.tif 000003
【図２】
2005296512.tif 000004
【図３】
2005296512.tif 000005
【図４】
2005296512.tif 000006
【図５】
2005296512.tif 000007
【図６】
2005296512.tif 000008
【図７】
2005296512.tif 000009
【図８】
2005296512.tif 000010
【図９】
2005296512.tif 000011
【図１０】
2005296512.tif 000012
【図１１】
2005296512.tif 000013
【図１２】
2005296512.tif 000014
【図１３】
2005296512.tif 000015
【図１４】
2005296512.tif 000016
【図１５】
2005296512.tif 000017
【図１６】
2005296512.tif 000018